(57)【要約】【課題】  本発明は、加湿時において発生するＣＯ２を除去することで、ＣＯ２濃度が減少した湿気を空気中に放出するための手段の提供。【解決手段】  空気中の湿度を上昇させる加湿手段において、水を一度蒸発させることでＣＯ２低濃度水蒸気とＣＯ２高濃度空気の混合気体が発生する工程、前記混合気体の外気放出前に、水凝結手段により前記ＣＯ２低濃度水蒸気をＣＯ２低濃度水に熱力学的変態させることでＣＯ２高濃度空気と分別する工程、さらに、分別された前記ＣＯ２低濃度水を再度蒸発させることによってＣＯ２濃度の軽減された湿気を外気へ放出する工程を有する加湿方法。【選択図】図１
2015087040.tif 000002
【特許請求の範囲】
【請求項１】
空気中の湿度を上昇させる加湿手段において、水を一度蒸発させることでＣＯ２低濃度水蒸気とＣＯ２高濃度空気の混合気体が発生する工程、前記混合気体の外気放出前に、水凝結手段により前記ＣＯ２低濃度水蒸気をＣＯ２低濃度水に熱力学的変態させることでＣＯ２高濃度空気と分別する工程、さらに、分別された前記ＣＯ２低濃度水を再度蒸発させることによってＣＯ２濃度の軽減された湿気を外気へ放出する工程を有する加湿方法。
【請求項２】
請求項１記載の水凝結手段の代替として、ＣＯ２凝結手段、フィルター式ＣＯ２回収手段、フィルター式Ｈ２Ｏ回収手段、または重力分離手段により行われることを特徴とする請求項１に記載の加湿方法。
【請求項３】
前記ＣＯ２低濃度水とＣＯ２高濃度空気との分別が、請求項１及び２に記載の手段により、原料水または前記水において行われることを特徴とする請求項１に記載の加湿方法。
【請求項４】
原料に使用する水が、ＣＯ２がすでに低減されているＣＯ２減量水であることを特徴とする請求項１に記載の加湿方法。
【請求項５】
空気中の湿度を上昇させる加湿装置であって、水蒸気を発生させる蒸発手段と、前記水蒸気生成に伴いＣＯ２低濃度水蒸気とＣＯ２高濃度空気の混合気体が発生する手段と、前記混合気体において前記ＣＯ２低濃度水蒸気を凝結によりＣＯ２低濃度水に相変態させて前記ＣＯ２高濃度空気より分別する手段と、分別された前記ＣＯ２低濃度水を再度蒸発させ、ＣＯ２低濃度水蒸気を発生させる手段と、分別された前記ＣＯ２高濃度空気を排出する手段が収納される本体とを備え、再蒸発により発生した前記ＣＯ２低濃度水蒸気によってＣＯ２濃度の軽減された湿気を放出する加湿装置。
【請求項６】
前記ＣＯ２低濃度水とＣＯ２高濃度空気との分別が、請求項１〜４に記載の分別手段により行われることを特徴とする請求項５に記載の加湿装置。
【発明の詳細な説明】
【技術分野】
【０００１】
本発明は、加湿時において発生するＣＯ２を除去することで、ＣＯ２濃度が減少した湿気を空気中に放出するための手段および装置に関する。
【背景技術】
【０００２】
内陸部等の常に湿度の低い地域、冬季など湿度の下がる季節、ビルの空調、または食品や製品管理等において、人工的に湿度を高めるために、様々な加湿手段が日本はもとより、世界中で幅広く利用されている。現在、湿度を上昇させる加湿手段としては気化型、スチーム型、超音波型等、各種のものが多数存在するが、これらの装置に共通してみられる特徴的なものは、水を蒸発させることで水蒸気を発生させ、空気中の湿気を上昇させることである。しかしながら、これらの手法で水蒸気を発生させた場合、もともと水中に含有していたＣＯ２を主とするガス成分も同時に放出されてしまうため、水蒸気を放出後の湿度のみでなく、ＣＯ２濃度も上昇してしまう問題があった。密室等の密閉された空間で継続加湿した場合には、ＣＯ２濃度が異常上昇してしまい、人体やペット等の動物への影響が懸念されていた。我々の日常での空気中のＣＯ２濃度は約３５０ppm〜４５０ppmであるが、６００ppmを超えると悪臭や眠気を引き起こし、３％以上では呼吸困難や頭痛、脈拍異常を引き起こすとされ、７％を超える空間では、数分で意識を失い、その後呼吸が停止してしまうといわれている。
【０００３】
一般的に市場に最もよく見られる加湿器としては、従来の気化式手段を利用した加湿器である。この場合、電熱等の熱源を使用して貯水槽の水を一度熱することにより気化させ、発生した水蒸気を直後に外部へ噴出させる形で加湿が実施される。しかしながら、従来の気化型加湿手段においては、水の気化に伴い同時発生するＣＯ２を蒸気と共にそのまま外気に放出させていることが難点であった。特許文献１において、気化式手段を利用した場合における加湿に必要な加湿モジュールのみ給水して必要な湿度を得ることにより、低エネルギー消費を可能にした気化型加湿器が開示されている。
【０００４】
気化式以外に見られる従来の加湿手段としては、超音波を利用したものがある。これは、水に超音波振動を与えて霧化させることで湿度を高める方法である。超音波加湿器においては、一般的な気化式のように加熱手段を用いず、常温で蒸気を発生させるため、細菌の発生が懸念されており、霧化直前の給水路に加熱手段を装備することにより殺菌可能なもの（特許文献２参照）や霧化槽に加熱手段を設置するタイプ（特許文献３参照）が提案されている。しかしながら、加熱殺菌時、気化式の加湿手段における加熱温度と比べ、水が蒸発しない低温で加熱が行われ、加熱殺菌された水に含有されたＣＯ２はほぼ変化しないため、最終的に水が霧化蒸発する際にＣＯ２も同時放出し、外気に噴出されていた。さらに、加熱殺菌時に微妙に水から放出すると考えられるＣＯ２は、装置の構造上、霧化手段により発生した蒸気と共に外気に噴出される形となっていた。いずれのタイプにおいても、本発明のようにＣＯ２低濃度水のみを分別して、さらにそれを再蒸発させる工程が取り入れられていないため、水分中のＣＯ２が外気に放出されてしまっていた。
【０００５】
また、特許文献４に見られるように、余熱コイルを設置する等により、従来の空気調和機を改造することで、ボイラーによる化石燃料の使用量を削減することでボイラー操業におけるＣＯ２排出量を軽減する蒸気式加湿器も提案されているが、加湿器自体から蒸気と共に発生するＣＯ２を削減する手段ではなかった。
【０００６】
このように、気化型、超音波型等、従来の手法で水蒸気を発生させた場合、蒸気発生直後にＣＯ２高濃度空気と共に混合気体として外気に放出してしまうため、水蒸気と同時発生するＣＯ２を外気放出前に除去する事が不可能であった。そのため、水蒸気放出後の湿度のみでなくＣＯ２濃度も上昇してしまい、前記混合気体を加湿器外へ放出する以前にＣＯ２が抑制できる手段が求められていた。
【先行技術文献】
【特許文献】
【０００７】
【特許文献１】特開２００９-２１０２１２号公報
【特許文献２】特許第２５８９９２２号公報
【特許文献３】特開平２−２３８２３７号公報
【特許文献４】特開２０１２−１２７５６４号公報
【発明の概要】
【発明が解決しようとする課題】
【０００８】
従来の加湿手段において、水分中に溶解しているＣＯ２が水の蒸発と共に発生してしまうために、放出後の室内の湿気上昇だけではなく、ＣＯ２濃度も高まってしまうことで、人体及びペット等の動物の健康管理やオフィスビル及び工場における空調管理への影響が指摘されており、蒸気放出時もしくはそれ以前にＣＯ２除去または減少できる加湿方法と装置の開発が課題であった。
【課題を解決するための手段】
【０００９】
本発明では、空気中の湿度を上昇させる加湿手段において、水を一度蒸発させることでＣＯ２低濃度水蒸気とＣＯ２高濃度空気の混合気体が発生する工程、前記混合気体の外気放出前に、水凝結手段により前記ＣＯ２低濃度水蒸気をＣＯ２低濃度水に熱力学的変態させることでＣＯ２高濃度空気と分別する工程、さらに、分別された前記ＣＯ２低濃度水を再度蒸発させることによってＣＯ２濃度の軽減された湿気を外気へ放出する工程を有する加湿方法より上記課題を解決する。
【００１０】
すなわち、本発明の第１は、水を一度蒸発させることでＣＯ２低濃度水蒸気とＣＯ２高濃度空気の混合気体が発生する工程、前記混合気体の外気放出前に、水凝結手段により前記ＣＯ２低濃度水蒸気をＣＯ２低濃度水に熱力学的変態させることでＣＯ２高濃度空気と分別する工程、さらに、分別された前記ＣＯ２低濃度水を再度蒸発させることによってＣＯ２濃度の軽減された湿気を外気へ放出する工程を有する加湿方法である。
【００１１】
また、本発明の第２は、前記第１の発明において、水凝結手段の代替として、ＣＯ２凝結手段、フィルター式ＣＯ２回収手段、またはフィルター式Ｈ２Ｏ回収手段により行われることを特徴とする加湿方法である。
【００１２】
また、本発明の第３は、前記第１の発明において、前記ＣＯ２低濃度水とＣＯ２高濃度空気との分別が、前記第１の発明及び第２の発明に記載の手段により、原料水または前記水において行われることを特徴とする加湿方法である。
【００１３】
また、本発明の第４は、前記第１の発明において、原料に使用する水が、ＣＯ２がすでに低減されているＣＯ２減量水であることを特徴とする加湿方法である。
【００１４】
また、本発明の第５は、空気中の湿度を上昇させる加湿装置であって、水蒸気を発生させる蒸発手段と、前記水蒸気生成に伴いＣＯ２低濃度水蒸気とＣＯ２高濃度空気の混合気体が発生する手段と、前記混合気体において前記ＣＯ２低濃度水蒸気を凝結によりＣＯ２低濃度水に相変態させて前記ＣＯ２高濃度空気より分別する手段と、分別された前記ＣＯ２低濃度水を再度蒸発させ、ＣＯ２低濃度水蒸気を発生させる手段と、分別された前記ＣＯ２高濃度空気を排出する手段が収納される本体とを備え、再蒸発により発生した前記ＣＯ２低濃度水蒸気によってＣＯ２濃度の軽減された湿気を放出する加湿装置である。
【００１５】
また、本発明の第６は、前記第５の発明において、前記ＣＯ２低濃度水とＣＯ２高濃度空気との分別が、前記第１〜４の発明に記載の分別手段により行われることを特徴とする加湿装置である。
【発明の効果】
【００１６】
本発明において、水を蒸発させることで加湿された空気を、水凝結手段によりＣＯ２低濃度水とＣＯ２高濃度空気とに分別し、分別された前記ＣＯ２低濃度水を用いてＣＯ２濃度の軽減された湿気を放出するため、ＣＯ２の放出が抑制された加湿方法が可能になった。したがって、従来の加湿手段において危惧されていたＣＯ２過放出による人体やペットの健康への影響等を最小限に抑えることができる。また、水凝結手段の代わりにＣＯ２凝結手段、フィルター式ＣＯ２回収手段、または重力分離手段による分別方法で代替させることで、スピーディなＣＯ２低濃度加湿を実施することもできる。さらに、これら分別手段を原料水に適用したり、ＣＯ２がすでに低減されているＣＯ２減量水を利用したりすることで、よりスピーディで簡素にＣＯ２低濃度加湿を提供することができる。
【図面の簡単な説明】
【００１７】
【図１】本発明を実施するための装置の側面図
【図２】本発明を実施するための装置の平面図
【図３】本発明を実施するための装置の正面図
【図４】本発明を実施するための装置の背面図
【図５】本発明の実験によるＣＯ２濃度変化を示したグラフ
【発明を実施するための形態】
【００１８】
本発明では、加湿装置内で発生させた水蒸気を含んだ空気をＣＯ２低濃度水またはＣＯ２低濃度水蒸気とＣＯ２またはＣＯ２高濃度空気とに分別させ、分別したＣＯ２低濃度水分を利用してＣＯ２濃度の軽減された湿気を放出することにより、ＣＯ２低濃度の加湿が実施される。
【００１９】
前記加湿装置はステンレススチールのように錆びにくい材料でできていることが望まれるが、プラスチック製にして家庭でしやすくポータブルな材料を利用することもできる。
【００２０】
本発明はＣＯ２低濃度水またはＣＯ２低濃度水蒸気とＣＯ２またはＣＯ２高濃度空気とに分別できる全ての種類の手段と装置を含む。すなわち、前記分別手段としては、水凝結手段の他、ＣＯ２凝結手段、フィルター式Ｈ２Ｏ回収手段、フィルター式ＣＯ２回収手段、重力分離手段、温度・圧力昇降手段、イオナイザー手段等、その他各種の分別手段も使用することができる。前記分別手段は原料水や蒸発前の水、または水蒸気においても使用することができる。また、事前にＣＯ２の除去または減少させられた水を使用することで分別工程を安易にし、さらには省略した形でＣＯ２低濃度な加湿を実施することができる。
【実施例】
【００２１】
以下本発明の代表的な実施例として、水の蒸発にヒーターを用いた場合の気化式の加湿器を例にあげて説明する。図1〜４は本発明を実施するための加湿装置全体の概念図を表しており、図１は本発明を実施するための装置の側面図、図２は本発明を実施するための装置の平面図、図３は本発明を実施するための装置の正面図、図４は本発明を実施するための装置の背面図である。
本発明に係る加湿装置は、立方形状の本体１、背面に放出口２、上面に給水口９と加湿口１０、本体１内部後方に凝結器３、第一ヒーター４、第二ヒーター５、本体１内部下方に水路６、本体１正面に設置された貯水槽８に貯水された水７から成っている。
【００２２】
次に、本発明に係る加湿装置の作用とメカニズムについて説明する。
本体１正面の貯水槽８に貯水されている水は本体1下部の水路６を通って第一ヒーター４により加熱され気化し蒸発する。この蒸発によって低圧力となった水路６に吸い込まれる形で水７が水路６に継続的に導かれる仕組みになっている。またキャピラリティー力を利用して水７を水路６に吸い込むこともできる。第一ヒーター４で蒸発した水は、気化することにより、もとより含有していたＣＯ２を主とするガス成分を必然的に同時放出するため、第一ヒーター４と凝結器３の間に存在するのはＣＯ２低濃度水蒸気とＣＯ２高濃度空気の混合気体となる。従来の加湿手段においては、このＣＯ２高濃度空気を含んだ水蒸気の混合気体を外部に放出して加湿を実行するが、本発明では、前記混合気体はＣＯ２低濃度水蒸気をＣＯ２低濃度水として回収する凝結器３において、ＣＯ２低濃度水分とＣＯ２高濃度空気とに分別される。分別されたＣＯ２低濃度水分は、第二ヒーター５において再度、蒸発させられ、最終的に加湿口１０よりＣＯ２低濃度湿気として放出される。また第二ヒーター５の温度調整や加湿口１０の開閉の微調整により放出率をコントロールすることもできる。なお、凝結器３でＣＯ２低濃度水より分別されたＣＯ２高濃度空気は放出口２より排出される。凝結器３における水蒸気の凝結は冷却手段及び圧縮手段により露点以下にすることで水を凝結（凝縮）させることで実施される。
【００２３】
本発明の実施例において、本体１は立方体状の場合を説明しているが、デザインや目的に応じて、本体１の形状や大きさは容易に変更することができる。また、水の気化式での蒸発手段として第一ヒーター４と第二ヒーター５を提示しているが、水の蒸発は簡易に実行できるため、ヒーターを利用した気化式に限る必要はない。そのため、蒸発手段としては気化式の他、揮発式、超音波式等、各種のものを利用することができる。
【００２４】
凝結器３で分別したＣＯ２低濃度水、またはＣＯ２低濃度水蒸気は外部に放出して他目的に有効利用することもできる。多目的に利用する場合、前記ＣＯ２低濃度水分を外気や他のＣＯ２含有ガスと接触させてＣＯ２を該水分に吸収させることで、外気やＣＯ２含有ガス内のＣＯ２濃度を減少、または除去することができる。また、ＣＯ２低濃度水をシャワー、風呂、温泉、料理に使用する水や湯水等に利用することもできる。凝結器３をＣＯ２フィルター等で代替してＣＯ２低濃度水分を分別した場合も同じ有効利用が可能である。
【００２５】
凝結器３で分別したＣＯ２高濃度空気は放出口２を通って本体１外部に放出される。この場合、放出先が室外や屋外に接続されていることが望ましい。加湿器をポータブルにするために、新たな貯水槽を本体１背面に設置し、ＣＯ２高濃度空気をこの貯水槽内の冷水に噴射してＣＯ２の溶解を促進することで、ＣＯ２高濃度空気のＣＯ２濃度を軽減させてから外気に放出することもできる。また、ＣＯ２高濃度空気を多目的に有効利用する場合、ＣＯ２高濃度空気噴射により生成されたＣＯ２リッチ水を炭酸浴等の医療や、炭酸飲料水生産に利用することができる。凝結器３をＣＯ２除去フィルター等で代替してＣＯ２高濃度空気を分別した場合も同じ有効利用が可能である。
【００２６】
凝結器３の代替として、フィルター効力のある各種Ｈ２Ｏ回収手段を応用して利用することもできる。吸着または吸収性のあるフィルター手段としてはシリカゲルやゼオライトを利用して再生使用することもできる。Ｈ２Ｏ回収手段はスクリーン状のメッシュを利用して水を物理的に分別することもできる。また、凝結器３の代わりにＣＯ２凝結器やフィルター式ＣＯ２回収手段を使用することで湿気分より直接ＣＯ２を除去して、ＣＯ２濃度の減少した湿気分を放出口２から放出することで低濃度ＣＯ２な加湿を実施することができる。この場合、第二ヒーター５と加湿口１０での工程を省略することもできる。
【００２７】
フィルター式ＣＯ２回収手段には、ＣＯ２凝結手段以外には、各種吸収・吸着剤を使用することができるが、活性炭やアミジン系のものから水酸化リチウムやセラミックス製のゼオライト膜、イオン式等、幅広い手段を応用することもできる。また、吸収・吸着剤を蒸発中または蒸発前の水と水中接触させておくことでＣＯ２を連続回収し、熱処理等で吸収・吸着されたＣＯ２を外部に放出することで再生使用することもできる。前記吸着剤以外には、冷水を使用してＣＯ２を吸収・吸着除去させることもできる。さらに、前記ＣＯ２回収手段を水路６または貯水槽８に設置したり、事前にＣＯ２が除去された水を使用したりすることで、第一ヒーター４、凝結器３、および放出口２を簡素化または省略することもできる。また、ガス中のＣＯ２とＨ２Ｏの密度差によって、第一ヒーター４で発生したＣＯ２低濃度水蒸気とＣＯ２高濃度空気が重力により上下に分かれることを利用して、重力分離手段により、ＣＯ２低濃度水蒸気とＣＯ２高濃度空気とに分別することもできる。重力分離手段は遠心力を使用して人工的に促進することも可能である。
【００２８】
以上、簡潔な形態の加湿装置を示したが、本発明はＣＯ２除去・減少装置を含むいかなる種類の加湿装置をも含んでいる。加湿口１０からＣＯ２低濃度蒸気を放出するまでの各工程の順序を変更させることも、本発明の効力を損なうことなく実行することが可能である。また、本発明の方法または装置の全てまたは一部を利用して、ＣＯ２以外の他のガス成分の濃度を昇降させることができることは明らかである。本発明の加湿装置はＣＯ２除去・減少装置と共に新しく製作することも、あるいは既存する装置を改造してＣＯ２除去・減少装置を追加設置することによっても完成させることができる。
【００２９】
本発明における、ＣＯ２低濃度水分とＣＯ２高濃度空気との分別による湿気中のＣＯ２濃度減少への効果を気化法による手段を用いて実験により評価した。ＣＯ２濃度は赤外線式ＣＯ２センサー（CO2 Meter製 pSense Portable AZ-0001）を用いて測定した。ＣＯ２センサーのメーカー規定の測定精度は±３０〜７５ppmであった。実験室内の温度は摂氏２６度、そしてＣＯ２濃度は約３７０ppmであった。本実験では水道水を水蒸気の原料水として使用した。実験は全て常気圧中（１atm）で行なわれた。
【００３０】
本実験では、まず、気化法を利用した加湿器における、水の気化により同時発生するＣＯ２が引き起こすＣＯ２濃度の上昇を測定するために、水道水５００ｍLを、密閉された空間において、電熱手段により約１００℃で蒸発させることで発生した水蒸気を１０秒間、５００ｍL容器内に集めた後、容器を上下逆にすることで、上部に設置されたＣＯ２センサーにより容器内のＣＯ２濃度変化を測定した。ＣＯ２センサーと容器の間にはキムワイプ紙を重ねたフィルターを施して湿気による影響を最小化した。ＣＯ２センサーにおける湿気（RH）は測定中常に９０％以下であった。実験前の空容器内のＣＯ２濃度は約３７０ppmであったが、測定開始後すぐにＣＯ２濃度の上昇が観測され、最終的には１２１６ppmに達した。測定は５分間続けられた。
【００３１】
続いて、凝結法を用いてＣＯ２低濃度水分とＣＯ２高濃度空気を分別することで、本発明におけるＣＯ２濃度変化に与える効果を評価した。前記水道水５００ｍLを、密閉された状態で、電熱手段により約１００℃で蒸発させることで発生した水蒸気（２５０ｍL）を連続して冷却された５００ｍL容器内に凝結水として集め、該凝結水を、密閉された状態で、再び電熱手段により約１００℃で徐々に蒸発させることで発生した水蒸気を１０秒間、別途用意された５００ｍL容器内に集めた後、容器を上下逆にすることで、上部に設置されたＣＯ２センサーにより容器内のＣＯ２濃度変化を測定した。前記凝結水を集めた容器は常に冷水で冷却することで凝結を促進した。ＣＯ２センサーと容器の間にはキムワイプ紙を重ねたフィルターを施して湿気による影響を最小化した。ＣＯ２センサーにおける湿気（RH）は測定中常に９０％以下であった。実験前の空容器内のＣＯ２濃度は約３７０ppmであったが、測定開始後すぐにＣＯ２濃度の下降が観測され、約３分後には３４５ppmに減少した。測定は５分間続けられた。ＣＯ２濃度減少の理由は、分別されたＣＯ２低濃度水を再蒸発させて発生した水蒸気はＣＯ２低濃度水蒸気であり、蒸発時のＣＯ２発生が最小であったためと考えられる。また、放出先である容器内に既存ガス中のＣＯ２が、熱力学的平衡に到達しようとするため、ＣＯ２低濃度水蒸気の凝結に伴い発生したＣＯ２低濃度凝結水に溶解したためと考えられる。
【００３２】
本実験においてのＣＯ２濃度の時間経過による変化は図５の通りであった。
【００３３】
本実験において、１２１６ppmに至るＣＯ２増加は、１０秒間のみの水蒸気収集における混合気体から得られた数字であり、一般家庭やオフィスビルにおいて、加湿器または加湿装置を備えた空調設備等を連続運転した場合、室内に放出される総ＣＯ２量はかなり高くなるものであると想定される。
【００３４】
以上、本発明を、複数の形態について説明した。しかしながら、当分野に精通したものには本発明の視野から離れずに、多種の修正を施すことが可能なのは明らかである。
【産業上の利用可能性】
【００３５】
本発明において発生するＣＯ２低濃度水またはＣＯ２低濃度水蒸気は、家庭用の小型の加湿器から産業規模の大型の加湿装置に至るまで様々な形態の空調用途に使用することができる。例えば、内陸部の乾燥地帯や冬季における乾燥期の家庭の室内で利用することにより、ＣＯ２過放出の懸念なく加湿を実施することができる。さらにはＣＯ２低濃度を必要とする精密工場や、人の呼吸によるＣＯ２増加に対する公共施設、学校、病院、オフィスビル及び地下鉄内における空調、さらには調理場等のクッキングによるＣＯ２増加に対する空調においても、本発明を利用してＣＯ２を低減させた加湿を提供することができる。
【００３６】
また、本発明におけるＣＯ２低濃度水分とＣＯ２高濃度空気とを分別する手段により分別させられたＣＯ２低濃度水をシャワー、お風呂、温泉、自動皿洗浄器、または鍋などの料理に使う水等に利用すれば、ＣＯ２発生率の軽減された環境を提供しながら、実施することが可能である。さらには、該ＣＯ２低濃度水分と接触させることで、ＣＯ２低濃度を必要とする精密工場や、人の呼吸によるＣＯ２増加に対する公共施設、オフィスビル及び地下鉄内、さらにはクッキングによりＣＯ２が増加した調理場等の空調においても、本発明を利用してＣＯ２を除去または減少させることで快適な空間を提供することができる。
【００３７】
また、本発明で前記分別放出されるＣＯ２高濃度空気を水または湯に噴出することでＣＯ２リッチ水または湯を簡易に供給することができ、ＣＯ２高濃度を必要とする炭酸浴やそれらを利用した医療等、または炭酸飲料水製造等に有効利用することができる。
【００３８】
また、医療用等、超小型なタイプや複雑な形状を必要とする場合においても、本発明により分別されるＣＯ２低濃度水やＣＯ２高濃度空気を利用した装置を開発することができる。その場合、管状やペン型の物も考えられる。
【符号の説明】
【００３９】
１    本体
２    放出口
３    凝結器
４    第一ヒーター
５    第二ヒーター
６    水路
７    水
８    貯水槽
９    給水口
１０  加湿口
【図１】
2015087040.tif 000003
【図２】
2015087040.tif 000004
【図３】
2015087040.tif 000005
【図４】
2015087040.tif 000006
【図５】
2015087040.tif 000007